(57)【特許請求の範囲】
【請求項１】
建物の屋外側に建物用設備を設置するための建物用設備設置構造であって、
前記建物の建物本体下部の建物基礎の底面の深さ位置よりも浅い深さ位置の底面を有する建物用設備設置用基礎が設けられ、該建物用設備設置用基礎の上に前記建物用設備が設置されているとともに、
前記建物用設備設置用基礎は、前記建物基礎から離隔していることを特徴とする建物用設備設置構造。
【請求項２】
建物の屋外側に建物用設備を設置するための建物用設備設置構造であって、
前記建物の建物本体下部の建物基礎の底面の深さ位置よりも浅い深さ位置の底面を有する建物用設備設置用基礎が設けられ、該建物用設備設置用基礎の上に前記建物用設備が設置されているとともに、
前記建物の周囲には塀が設けられており、前記建物用設備設置用基礎は、前記塀とも離隔して設けられていることを特徴とする建物用設備設置構造。
【請求項３】
前記建物用設備設置用基礎の上面の高さ位置は、前記建物基礎の上端の高さ位置よりも低いことを特徴とする請求項１又は２に記載の建物用設備設置構造。
【請求項４】
前記建物用設備は、架台を介して、前記建物用設備設置用基礎の上に設置されていることを特徴とする請求項１乃至３のいずれか１項に記載の建物用設備設置構造。
【請求項５】
前記建物用設備は蓄電池であり、前記架台は、該蓄電池からの配線に利用可能な内部空間を有することを特徴とする請求項４に記載の建物用設備設置構造。
【請求項６】
前記架台は、前記建物用設備設置用基礎にアンカーボルトで固定されていることを特徴とする請求項４又は５に記載の建物用設備設置構造。
【請求項７】
前記建物用設備の周囲を覆うカバーが設けられていることを特徴とする請求項１乃至６のいずれか１項に記載の建物用設備設置構造。
【請求項８】
前記建物用設備設置用基礎の内部に中空部を有することを特徴とする請求項１乃至７のいずれか１項に記載の建物用設備設置構造。
【請求項９】
前記建物用設備設置用基礎の内部に軽量化部材が設けられていることを特徴とする請求項１乃至７のいずれか１項に記載の建物用設備設置構造。
【発明の詳細な説明】
【技術分野】
【０００１】
本発明は、建物の屋外側に蓄電池などの建物用設備を設置するための建物用設備設置構造に関するものである。
【背景技術】
【０００２】
従来から、建物の屋外に様々な建物用設備を設置することがなされている（特許文献１〜３等を参照）。
【０００３】
また、安定した温度環境等を考慮して、建物の屋外側に建物用設備として、蓄電池を設置することもなされている（特許文献４等を参照）。
【先行技術文献】
【特許文献】
【０００４】
【特許文献１】特開平０８−７５２６９号公報
【特許文献２】特開２００８−２０８６５０号公報
【特許文献３】特開２０１２−２１７０２号公報
【特許文献４】特開２００２−８１７６５号公報
【発明の概要】
【発明が解決しようとする課題】
【０００５】
しかしながら、特許文献１〜４のような従来の建物用設備設置構造では、蓄電池のように、大容量化が進み、その重量も大きくなってきている建物用設備を、特に、既設の建物などに設置すると、建物基礎などに、大きな重量により過剰な荷重や土圧がかかり、既設の建物自体に悪影響を与えてしまうおそれがあった。
【０００６】
そこで、本発明は、建物用設備の大きな重量による建物への悪影響を無視できる程度にすることができる建物用設備設置構造を提供することを目的としている。
【課題を解決するための手段】
【０００７】
前記目的を達成するために、本発明の建物用設備設置構造は、建物の屋外側に建物用設備を設置するための建物用設備設置構造であって、前記建物の建物本体下部の建物基礎の底面の深さ位置よりも浅い深さ位置の底面を有する建物用設備設置用基礎が設けられ、該建物用設備設置用基礎の上に前記建物用設備が設置されていることを特徴とする。
【０００８】
ここで、前記建物用設備設置用基礎の上面の高さ位置は、前記建物基礎の上端の高さ位置よりも低いとよい。
【０００９】
また、前記建物用設備は、架台を介して、前記建物用設備設置用基礎の上に設置されているとよい。
【００１０】
さらに、前記架台は、前記建物用設備設置用基礎にアンカーボルトで固定されているとよい。
【００１１】
また、前記建物用設備の周囲を覆うカバーが設けられているとよい。
【００１２】
さらに、前記建物の周囲には塀が設けられているときは、前記建物用設備設置用基礎は、前記塀とも離隔して設けられているとよい。
【００１３】
また、前記建物用設備設置用基礎の内部に中空部を有していてもよい。
【００１４】
さらに、前記建物用設備設置用基礎の内部に軽量化部材が設けられていてもよい。
【発明の効果】
【００１５】
このような本発明の建物用設備設置構造は、建物の屋外側に建物用設備を設置するための建物用設備設置構造であって、建物の建物本体下部の建物基礎の底面の深さ位置よりも浅い深さ位置の底面を有する建物用設備設置用基礎が設けられ、建物用設備設置用基礎の上に建物用設備が設置された構成とされている。
【００１６】
こうした構成なので、建物用設備設置用基礎の底面は、建物基礎の底面の深さ位置よりも浅い深さ位置であるため、建物用設備設置用基礎全体の重量を軽くでき、建物基礎に過剰な土圧がかかることなく、建物用設備の大きな重量による建物への悪影響を無視できる程度にすることができる。
【００１７】
ここで、建物用設備設置用基礎の上面の高さ位置は、建物基礎の上端の高さ位置よりも低い場合は、建物用設備設置用基礎の軽量化を図ることができる。
【００１８】
また、建物用設備は、架台を介して、建物用設備設置用基礎の上に設置されている場合は、この架台の高さ分、さらに建物用設備が設置される位置が地盤面よりも高くなり、浸水による建物用設備への害をより確実に防止することができるうえに、この架台の内部の空間を利用して建物用設備からの配線等を容易に行うことができる。
【００１９】
さらに、架台は、建物用設備設置用基礎にアンカーボルトで固定されている場合は、架台に大きな引抜耐力を持たせることができるので、地震などによる大きな揺れがあっても、建物用設備の転倒を防止することができる。
【００２０】
また、建物用設備の周囲を覆うカバーが設けられている場合は、カバーにより建物用設備の日除けや雪除けが行え、故障のおそれを低減させることができる。
【００２１】
さらに、建物の周囲には塀が設けられており、建物用設備設置用基礎は、塀とも離隔して設けられている場合は、建物用設備の大きな重量による塀への悪影響も無視できる程度にすることができる。
【００２２】
また、建物用設備設置用基礎の内部に中空部を有する場合は、建物用設備設置用基礎の更なる軽量化を図ることができる。
【００２３】
さらに、建物用設備設置用基礎の内部に軽量化部材が設けられている場合は、建物用設備設置用基礎の更なる軽量化及び耐力の向上を図ることができる。
【図面の簡単な説明】
【００２４】
【図１】実施例１の建物用設備設置構造を備えた建物の概略構成を説明する説明図である。
【図２】実施例２の建物用設備設置構造を備えた建物の概略構成を説明する説明図である。
【図３】実施例３の建物用設備設置構造を備えた建物の概略構成を説明する説明図である。
【発明を実施するための形態】
【００２５】
以下、本発明を実施するための形態を、図面に示す実施例１〜３に基づいて説明する。
【実施例１】
【００２６】
先ず、実施例１の構成について説明する。
【００２７】
図１は、実施例１の建物用設備設置構造を備えた建物１の概略構成を示している。
【００２８】
まず、この建物１は、地盤に打設された建物基礎としての布基礎１Ｂの上に建物本体１Ａが構築されて成る。
【００２９】
そして、布基礎１Ｂ及び建物１の周囲に設けられた塀４から離隔して、内部に鉄筋（図示せず）が設けられた建物用設備設置用基礎としての蓄電池設置用基礎２が打設されて設けられている。
【００３０】
ここで、この蓄電池設置用基礎２の高さは、地盤面より３２０ｍｍ高く、建物基礎１Ｂの上端よりも８０ｍｍ低くなるように設定されている。
【００３１】
また、この蓄電池設置用基礎２の底面は、布基礎１Ｂの底面の深さ位置よりも１６０ｍｍ浅い深さ位置に設定されている。
【００３２】
そして、蓄電池設置用基礎２の上に、架台５を介して、大容量で重量の大きな建物用設備としての蓄電池６が設置されている。
【００３３】
ここで、架台５は、アンカーボルト７，・・・により蓄電池設置用基礎２に固定されている。
【００３４】
また、蓄電池６は、その脚部が架台５の上面にボルトとナットにより固定されている。
【００３５】
なお、蓄電池設置用基礎２の下部には、支持力を大きくするための支持杭８が設けられている。
【００３６】
さらに、蓄電池設置用基礎２の上には、二点鎖線で示したように、蓄電池６をカバー３が設けられている。
【００３７】
また、蓄電池６の配線は、図示を省略したが、鞘管に包まれた状態で、建物１側に配線されている。
【００３８】
次に、実施例１の作用効果について説明する。
【００３９】
このような実施例１の建物用設備設置構造は、建物１の屋外側に建物用設備としての蓄電池６を設置するための建物用設備設置構造である。
【００４０】
そして、建物１の建物本体１Ａ下部の建物基礎としての布基礎１Ｂから離隔して、地盤面よりも高い上面を有し、布建物１Ｂの底面の深さ位置よりも浅い深さ位置の底面を有する建物用設備設置用基礎としての蓄電池設置用基礎２が設けられ、蓄電池設置用基礎２の上に蓄電池６が設置された構成とされている。
【００４１】
こうした構成なので、蓄電池設置用基礎２の上面が地盤面より高いため、浸水による蓄電池６への害を防止することができるうえに、蓄電池設置用基礎２の底面は、布基礎１Ｂの底面の深さ位置よりも浅い深さ位置であるため、蓄電池設置用基礎２全体の重量を軽くでき、さらには、蓄電池設置用基礎２は、布基礎１Ｂから離隔して設けられているため、布基礎１Ｂに過剰な土圧がかかることなく、蓄電池６の大きな重量による建物１への悪影響を無視できる程度にすることができる。
【００４２】
ここで、蓄電池設置用基礎２の上面の高さ位置は、布基礎１Ｂの上端の高さ位置よりも低い。
【００４３】
このため、蓄電池設置用基礎２の軽量化を図ることができる。
【００４４】
また、蓄電池６は、架台５を介して、蓄電池設置用基礎２の上に設置されている。
【００４５】
このため、この架台５の高さ分、さらに蓄電池６が設置される位置が地盤面よりも高くなり、浸水による蓄電池６への害をより確実に防止することができるうえに、この架台５の内部の空間を利用して蓄電池６からの配線等を容易に行うことができる。
【００４６】
さらに、架台５は、蓄電池設置用基礎２にアンカーボルト７，・・・で固定されている。
【００４７】
このため、架台５に大きな引抜耐力を持たせることができるので、地震などによる大きな揺れがあっても、蓄電池６の転倒を防止することができる。
【００４８】
また、蓄電池６の周囲を覆うカバー３が設けられている。
【００４９】
このため、カバー３により蓄電池６の日除けや雪除けが行え、故障のおそれを低減させることができる。
【００５０】
さらに、建物１の周囲には塀４が設けられており、蓄電池設置用基礎２は、塀４とも離隔して設けられている。
【００５１】
このため、蓄電池６の大きな重量による塀４への悪影響も無視できる程度にすることができる。
【実施例２】
【００５２】
次に、実施例２について説明する。
【００５３】
なお、実施例１で説明した内容と同一乃至均等な部分の説明については同一符号を付して説明する。
【００５４】
図２は、実施例２の建物用設備設置構造を備えた建物１の概略構成を示している。
【００５５】
この実施例２の建物用設備設置構造では、建物用設備設置用基礎としての蓄電池設置用基礎２の内部に中空部９を有することが実施例１の建物用設備設置構造と主に異なる。
【００５６】
このため、中空部９を有する分、蓄電池設置用基礎２の更なる軽量化を図ることができる。
【００５７】
なお、他の構成及び作用効果については、実施例１と略同様であるので説明を省略する。
【実施例３】
【００５８】
次に、実施例３について説明する。
【００５９】
なお、実施例１で説明した内容と同一乃至均等な部分の説明については同一符号を付して説明する。
【００６０】
図３は、実施例３の建物用設備設置構造を備えた建物１の概略構成を示している。
【００６１】
この実施例３の建物用設備設置構造では、建物用設備設置用基礎としての蓄電池設置用基礎２の内部に軽量化部材（ＥＰＳ材）１０が設けられていることが実施例１の建物用設備設置構造と主に異なる。
【００６２】
このため、軽量化部材（ＥＰＳ材）１０を設けた分、蓄電池設置用基礎２の更なる軽量化及び耐力（特に圧縮耐力）の向上を図ることができる。
【００６３】
なお、他の構成及び作用効果については、実施例１と略同様であるので説明を省略する。
【００６４】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００６５】
例えば、上記した実施例１〜３では、建物基礎として、布基礎１Ｂの建物に実施したが、これに限定されず、その他の基礎の建物に実施してもよい。
【００６６】
また、上記した実施例１〜３では、建物１の周囲に塀４が設けられたものに実施したが、これに限定されず、塀４が設けられていないものに実施してもよい。
【００６７】
さらに、上記した実施例１〜３では、架台５を設けて実施したが、これに限定されず、架台５を設けずに実施してもよい。
【００６８】
また、上記した実施例１〜３では、建物用設備として、蓄電池６を用いて実施したが、これに限定されず、例えば、給湯機やエアーコンディショナの室外機などを用いて実施してもよい。
【００６９】
さらに、上記した実施例１〜３では、建物用設備設置用基礎としての蓄電池設置用基礎２を打設して実施したが、これに限定されず、例えば、建物用設備設置用基礎としての蓄電池設置用基礎２として、工場等で製造したプレキャスト部材を用いて実施してもよい。
【００７０】
また、上記した実施例１〜３では、特に既存の建物に実施するのが好適であるが、新築の建物に実施してもよい。
【００７１】
さらに、上記した実施例３では、軽量化部材１０としてＥＰＳ材を用いて実施したが、これに限定されず、例えば、ＥＰＳ材に代えて土などを用いて実施してもよい。
【符号の説明】
【００７２】
１      建物
１Ａ    建物本体
１Ｂ    布基礎（建物基礎）
２      蓄電池設置用基礎（建物用設備設置用基礎）
３      カバー
４      塀
５      架台
６      蓄電池（建物用設備）
７      アンカーボルト
８      支持杭
９      中空部
１０    軽量化部材
【図１】
0005498616.tif 000002
【図２】
0005498616.tif 000003
【図３】
0005498616.tif 000004